(57)【要約】【課題】罠に捕獲された鳥獣の種別に関する情報を通知する。【解決手段】監視装置１００は、罠の加速度データを計測する加速度センサに接続する。監視装置１００は、センサにより計測された加速度データを基にして、罠に鳥獣が捕獲されたか否かを判定し、罠に鳥獣が捕獲された場合に、加速度データの特徴を基にして、鳥獣の種別を判定する。監視装置１００は、判定結果を管理サーバ２００に送信する。【選択図】図１
2018050540.tif 000002
【特許請求の範囲】
【請求項１】
罠の加速度情報を計測するセンサと、
前記センサにより計測された前記加速度情報を基にして、前記罠に鳥獣が捕獲されたか否かを判定し、前記罠に鳥獣が捕獲された場合に、前記加速度情報の特徴を基にして、前記鳥獣の種別を判定する判定部と、
前記判定部の判定結果を送信する送信部と
を有することを特徴とする監視装置。
【請求項２】
前記加速度情報は、異なる３軸方向それぞれにおける時刻と加速度の大きさとの関係を示す情報であり、前記判定部は、前記３軸方向の加速度の平均値を基にして、前記罠に鳥獣が捕獲されたか否かを判定することを特徴とする請求項１に記載の監視装置。
【請求項３】
前記判定部は、直交座標系の３軸方向の内、垂直方向の軸と異なる第１軸方向の加速度の平均値が第１閾値以上となり、かつ、前記垂直方向の軸と異なる第２軸方向の加速度の平均値が第２閾値以上となり、前記垂直方向の加速度の平均値が第３閾値未満となる場合に、前記罠に捕獲された鳥獣が猪であると判定することを特徴とする請求項２に記載の監視装置。
【請求項４】
前記判定部は、第１の時間幅における前記垂直方向の加速度の平均値が第３閾値以上となり、かつ、前記第１の時間幅よりも長い第２の時間幅における前記垂直方向の加速度の平均値が前記第３閾値未満となる場合に、前記罠に捕獲された鳥獣が鹿であると判定することを特徴とする請求項２に記載の監視装置。
【請求項５】
前記判定部は、前記第２の時間幅における前記垂直方向の加速度の平均値が第３閾値以上となる場合に、前記罠に捕獲された鳥獣が、鹿および猪以外の鳥獣であると判定することを特徴とする請求項４に記載の監視装置。
【請求項６】
前記判定部は、前記判定結果に対応する評価結果を基にして、前記第１閾値、前記第２閾値または第３閾値を補正することを特徴とする請求項３、４または５に記載の監視装置。
【請求項７】
コンピュータが実行する監視方法であって、
罠の加速度情報を計測するセンサにより計測された前記加速度情報を基にして、前記罠に鳥獣が捕獲されたか否かを判定し、前記罠に鳥獣が捕獲された場合に、前記加速度情報の特徴を基にして、前記鳥獣の種別を判定し、
判定結果を送信する
処理を実行することを特徴とする監視方法。
【発明の詳細な説明】
【技術分野】
【０００１】
本発明は、監視装置等に関する。
【背景技術】
【０００２】
農作物や山林の環境にとって有害な鳥獣を捕獲するために、ハンターは、箱罠、くくり罠等を設置し、各罠を巡回している。以下の説明では、箱罠、くくり罠をまとめて、適宜、罠と表記する。罠は様々な場所に設置されるため、ハンターが直接、各罠を巡回する場合には、ハンターにかかる負担が大きくなる。
【０００３】
このため、遠隔地から各箱罠に鳥獣が捕獲されたことを自動的に通知する仕組みが求められている。また、単に箱罠に何かが捕獲されたことを通知することのみでは十分ではない。例えば、罠に猪が捕獲された場合と、鹿が捕獲された場合とでは、鹿が猪よりも弱る速度が速いため、優先的に、鹿を捕獲した罠に向かい保護する必要がある。
【０００４】
上記課題を解消するため、箱罠に、内部の画像を撮影するカメラを設置し、センサを用いて鳥獣が捕獲されたことを検出すると、３Ｇ（Generation）回線等を利用して、カメラの撮影画像の情報を管理装置にメール送信するという従来技術がある。
【先行技術文献】
【特許文献】
【０００５】
【特許文献１】特開２０１５−１２２９７６号公報
【特許文献２】特開２０１４−１４３１０号公報
【特許文献３】特開２０１５−１５９７４７号公報
【発明の概要】
【発明が解決しようとする課題】
【０００６】
しかしながら、上述した従来技術では、罠に捕獲された鳥獣の種別に関する情報を取得することができないという問題がある。
【０００７】
上述した従来技術は、各箱罠に設置された無線通信装置が３Ｇ回線に接続することが前提となる技術である。しかし、現実的には、箱罠は３Ｇ回線を利用できないエリアに設置される場合が多く、このような場合には通信性能の低い他の無線通信回線を利用せざるを得なくなる。鳥獣の種別を通知するべく、通信性能の低い無線通信回線を用いると、カメラの撮影画像の情報量が多いため、送信できない場合がある。
【０００８】
１つの側面では、本発明は、罠に捕獲された鳥獣の種別に関する情報を通知することができる監視装置および監視方法を提供することを目的とする。
【課題を解決するための手段】
【０００９】
第１の案では、監視装置は、センサと、判定部と、送信部とを有する。センサは、罠の加速度情報を計測する。判定部は、センサにより計測された加速度情報を基にして、罠に鳥獣が捕獲されたか否かを判定し、罠に鳥獣が捕獲された場合に、加速度情報の特徴を基にして、鳥獣の種別を判定する。送信部は、判定部の判定結果を送信する。
【発明の効果】
【００１０】
罠に捕獲された鳥獣の種別に関する情報を通知することができる。
【図面の簡単な説明】
【００１１】
【図１】図１は、本実施例に係るシステムの構成を示す図である。
【図２】図２は、監視装置の構成を示す機能ブロック図である。
【図３】図３は、加速度テーブルのデータ構造の一例を示す図である。
【図４】図４は、加速度データのデータ構造の一例を示す図である。
【図５】図５は、加速度平均テーブルのデータ構造の一例を示す図である。
【図６】図６は、平均値情報のデータ構造の一例を示す図である。
【図７】図７は、種別判定テーブルのデータ構造の一例を示す図である。
【図８】図８は、本実施例に係る管理サーバの構成を示す機能ブロック図である。
【図９】図９は、管理テーブルのデータ構造の一例を示す図である。
【図１０】図１０は、本実施例に係る監視装置の処理手順を示すフローチャートである。
【発明を実施するための形態】
【００１２】
以下に、本願の開示する監視装置および監視方法の実施例を図面に基づいて詳細に説明する。なお、この実施例によりこの発明が限定されるものではない。
【実施例】
【００１３】
図１は、本実施例に係るシステムの構成を示す図である。図１に示すように、このシステムは、監視装置１００ａ，１００ｂ，１００ｃ，１００ｄ，１００ｅ，１００ｆと、管理サーバ２００とを有する。
【００１４】
監視装置１００ｄ〜１００ｆ、管理サーバ２００は、３Ｇ圏内エリア１５に含まれ、監視装置１００ａ〜１００ｃは、３Ｇ圏内エリア１５に含まれない。監視装置１００ｄ〜１００ｆと、管理サーバ２００は、３Ｇ回線を用いてデータ通信を行う。監視装置１００ａ〜１００ｃは、監視装置１００ｄと無線通信可能な距離に配置され、監視装置１００ｄを介して、管理サーバ２００とデータ通信を行う。
【００１５】
監視装置１００ａ〜１００ｆは、鳥獣を捕獲するためのくくり罠にそれぞれ設置された加速度センサに接続される。監視装置１００ａは、くくり罠１ａ〜１ｃに設置された加速度センサに接続される。監視装置１００ｂは、くくり罠２ａ〜２ｃに設置された加速度センサに接続される。監視装置１００ｃは、くくり罠３ａ〜３ｃに設置された加速度センサに接続される。監視装置１００ｄは、くくり罠４ａ〜４ｃに設置された加速度センサに接続される。監視装置１００ｅは、くくり罠５ａ〜５ｃに設置された加速度センサに接続される。監視装置１００ｆは、くくり罠６ａ〜６ｃに設置された加速度センサに接続される。以下の説明では、監視装置１００ａ〜１００ｆをまとめて適宜、監視装置１００と表記する。
【００１６】
監視装置１００は、くくり罠に鳥獣が捕獲されたことを検知した場合に、鳥獣の種別を判定し、判定結果となる「鳥獣捕獲情報」を、管理サーバ２００に送信する装置である。例えば、３Ｇ圏内エリア１５に含まれる監視装置１００ｄ〜１００ｆは、３Ｇ回線を用いて、鳥獣捕獲情報を、管理サーバ２００に送信する。３Ｇ圏内エリア１５に含まれない監視装置１００ａ〜１００ｃは、監視装置１００ｄを介して、鳥獣捕獲情報を、管理サーバ２００に送信する。
【００１７】
続いて、監視装置１００の構成について説明する。ここでは一例として、監視装置１００ａの構成について説明する。なお、監視装置１００ｂ〜１００ｆの構成は、監視装置１００ａの構成に対応する。
【００１８】
図２は、監視装置の構成を示す機能ブロック図である。図２に示すように、この監視装置１００ａは、通信部１１０と、加速度センサ１２０ａ，１２０ｂ，１２０ｃと、記憶部１３０と、制御部１４０とを有する。
【００１９】
通信部１１０は、管理サーバ２００との間でデータ通信を実行する処理部である。通信部１１０は、通信装置に対応する。例えば、図１に示したように、監視装置１００ａが、３Ｇ圏内エリア１５に含まれていない場合には、通信部１１０は、親機となる監視装置１００ｄを介して、管理サーバ２００とデータ通信を実行する。監視装置１００ａが、３Ｇ圏内エリア１５に含まれている場合には、通信部１１０は、３Ｇ回線を用いて、管理サーバ２００とデータ通信を実行する。後述する制御部１４０は、通信部１１０を介して、管理サーバ２００とデータをやり取りする。
【００２０】
加速度センサ１２０ａ〜１２０ｃは、くくり罠１ａ〜１ｃにそれぞれ設置される加速度センサである。以下の説明では、適宜、加速度センサ１２０ａ〜１２０ｃをまとめて、加速度センサ１２０と表記する。くくり罠１ａ〜１ｃをまとめて、くくり罠１と表記する。加速度センサ１２０は、設置されたくくり罠１の加速度を計測する。くくり罠１に鳥獣が捕獲されると、くくり罠１が各方向に引っ張られるため、くくり罠１の加速度を検出することができる。くくり罠１の加速度の情報を、加速度データと表記する。加速度データは、異なる３軸方向それぞれにおける時刻と加速度の大きさとの関係を有する。例えば、異なる３軸方向を、直交座標系のＸ軸方向、Ｙ軸方向、Ｚ軸方向とし、ｚ軸方向を、垂直方向とする。
【００２１】
記憶部１３０は、加速度テーブル１３１、加速度平均テーブル１３２、種別判定テーブル１３３を有する。記憶部１３０は、ＲＡＭ（Random  Access  Memory）、ＲＯＭ（Read  Only  Memory）、フラッシュメモリ（Flash  Memory）などの半導体メモリ素子や、ＨＤＤ（Hard  Disk  Drive）などの記憶装置に対応する。
【００２２】
加速度テーブル１３１は、加速度センサ１２０に計測された加速度データを保持するテーブルである。図３は、加速度テーブルのデータ構造の一例を示す図である。図３に示すように、この加速度テーブル１３１は、罠ＩＤと、加速度データとを対応付ける。罠ＩＤは、くくり罠１を一意に識別する情報である。例えば、くくり罠１ａの罠ＩＤを「kuku-1a」とし、くくり罠１ｂの罠ＩＤを「kuku-1b」とし、くくり罠１ｃの罠ＩＤを「kuku-1c」とする。加速度データは、くくり罠１に設置された加速度センサ１２０により計測された加速度データである。例えば、罠ＩＤ「kuku-1a」に対応する加速度データは、加速度センサ１２０ａに計測された加速度データとなる。
【００２３】
加速度テーブル１３１に格納された加速度データのデータ構造の一例について説明する。図４は、加速度データのデータ構造の一例を示す図である。図４に示すように、加速度データは、時刻と、各軸（Ｘ軸、Ｙ軸、Ｚ軸）の加速度の値とを対応付ける。なお、加速度の値の単位を「mGal」とする。
【００２４】
加速度平均テーブル１３２は、所定時間毎の加速度データの平均値を保持するテーブルである。図５は、加速度平均テーブルのデータ構造の一例を示す図である。図５に示すように、この加速度平均テーブル１３２は、罠ＩＤと、平均値情報とを対応付ける。罠ＩＤは、くくり罠１を一意に識別する情報である。平均値情報は、所定時間毎の加速度データの平均値情報である。
【００２５】
加速度平均テーブル１３２に格納された平均値情報のデータ構造の一例について説明する。図６は、平均値情報のデータ構造の一例を示す図である。図６に示すように、平均値情報は、軸種別と、時間間隔毎の各軸の加速度の平均値とを対応付ける。軸種別は、Ｘ軸、Ｙ軸、Ｚ軸を識別する情報である。例えば、時間帯「１５：００〜１５：０４」における、Ｘ軸、Ｙ軸、Ｚ軸の加速度の平均値は「０００，０００，０００」となる。時間帯「１５：０４〜１５：０８」における、Ｘ軸、Ｙ軸、Ｚ軸の加速度の平均値は「３３３，３３，３３」となる。
【００２６】
種別判定テーブル１３３は、鳥獣の種別を判定する場合の条件の情報を保持するテーブルである。図７は、種別判定テーブルのデータ構造の一例を示す図である。図７に示すように、この種別判定テーブルは、条件と、鳥獣種別とを対応付ける。
【００２７】
条件は、くくり罠１が鳥獣を捕獲した場合の加速度センサ１２０の特徴を示すものであり、係る条件に合致する場合には、対応付けられた鳥獣が捕獲されていることを示す。鳥獣種別は、鳥獣の種別を示すものである。
【００２８】
例えば、下記の条件ａ１、ａ２、ａ３を全て満たす場合には、くくり罠１に捕獲された鳥獣種別が「猪」であると判定する。猪はくくり罠１に捕獲されると、Ｘ軸方向、Ｙ軸方向に繰り返し移動する習性がある。第１時間幅は、ユーザが予め設定しておく時間幅であり、例えば６０分とする。
条件ａ１：第１時間幅において、Ｘ軸方向またはＹ軸方向の一方の加速度の平均値が２００（ｍＧａｌ）以上である。
条件ａ２：第１時間幅において、Ｘ軸方向またはＹ軸方向のもう一方の加速度の平均値が１００（ｍＧａｌ）以上である。
条件ａ３：第１時間幅において、Ｚ軸方向の加速度の平均値が２００（ｍＧａｌ）未満である。
【００２９】
下記の条件ｂ１、ｂ２、ｂ３を全て満たす場合には、くくり罠１に捕獲された鳥獣種別が「鹿」で有ると判定する。鹿はくくり罠１に捕獲されると、Ｘ軸方向、Ｙ軸方向と比較して、Ｚ軸方向（垂直方向）に繰り返し飛び跳ねる習性があり、また、スタミナが少ないため、しばらくすると余り動かなくなる。第１時間幅および第２時間幅は、ユーザが予め設定しておく時間幅である。ただし、第１時間幅＜第２時間幅とする。
条件ｂ１：第１時間幅において、Ｘ軸方向およびＹ軸方向の加速度の平均値が２００（ｍＧａｌ）未満である。
条件ｂ２：第１時間幅において、Ｚ軸方向の加速度の平均値が２００（ｍＧａｌ）以上である。
条件ｂ３：第２時間幅において、Ｚ軸方向の加速度の平均値が２００（ｍＧａｌ）未満である。
【００３０】
なお、上記の条件ａ１〜ａ３の組、条件ｂ１〜ｂ３の組に該当しない場合には、「猪」、「鹿」以外の鳥獣が捕獲されたと判定する。
【００３１】
図２の説明に戻る。制御部１４０は、登録部１４１と、判定部１４２と、送信部１４３と、更新部１４４とを有する。制御部１４０は、ＣＰＵ（Central  Processing  Unit）やＭＰＵ（Micro  Processing  Unit）などによって実現できる。また、制御部１４０は、ＡＳＩＣ（Application  Specific  Integrated  Circuit）やＦＰＧＡ（Field  Programmable  Gate  Array）などのハードワイヤードロジックによっても実現できる。
【００３２】
登録部１４１は、加速度センサ１２０から取得した加速度データを、加速度テーブル１３１に登録する処理部である。登録部１４１は、罠ＩＤと、該当する罠ＩＤの加速度センサ１２０から取得した加速度データとを対応付けて登録する。
【００３３】
登録部１４１は、加速度テーブル１３１を基にして、所定時間間隔毎にＸ軸、Ｙ軸、Ｚ軸の加速度の平均値情報をそれぞれ算出し、加速度平均テーブル１３２に登録する。登録部１４１は、加速度センサ１２０毎に、平均値情報を算出する。図６で説明した例では、登録部１４１は、４分間隔で、各軸の平均値情報を算出する。
【００３４】
判定部１４２は、加速度平均テーブル１３２を基にして、くくり罠１に鳥獣が捕獲されたか否かを判定する。判定部１４２は、くくり罠１に鳥獣が捕獲されたと判定すると、加速度テーブル１３１と、種別判定テーブル１３３とを基にして、捕獲された鳥獣の種別を判定する。判定部１４２は、判定結果を、送信部１４３に出力する。
【００３５】
判定部１４２が、加速度平均テーブル１３２を基にして、くくり罠１に鳥獣が捕獲されたか否かを判定する処理の一例について説明する。判定部１４２は、加速度平均テーブル１３２の所定時間幅の平均値情報を参照し、いずれかの軸の平均値情報が、閾値以上となる場合に、平均値情報が閾値以上となる最初の時間帯に、該当する罠ＩＤのくくり罠１に、鳥獣が捕獲されたと判定する。判定部１４２は、最初の時間帯の先頭時刻を、鳥獣の捕獲時刻として特定する。
【００３６】
例えば、図６において、閾値を「１００」とすると、時間帯「１５：０４〜１５：０８」、「１５：０８〜１５：１２」において、Ｘ軸の平均値情報が、閾値以上となる。また、図６の平均値情報を、図５の罠ＩＤ「kuku-1a」に対応する平均値情報とする。この場合には、判定部１４２は、初めの時間帯「１５：０４〜１５：０８」において、鳥獣がくくり罠１ａに捕獲されたと判定し、捕獲時刻を「１５：０４」とする。
【００３７】
判定部１４２が、鳥獣を捕獲したと判定した後に、種別判定テーブル１３３を基にして、捕獲された鳥獣の種別を判定する処理の一例について説明する。ここでは一例として、くくり罠１ａに鳥獣が捕獲されたものとして説明を行う。
【００３８】
判定部１４２は、罠ＩＤ「kuku-1a」に対応する加速度データを加速度テーブル１３１から取得し、捕獲時刻を始点とした第１時間幅におけるＸ軸、Ｙ軸、Ｚ軸の加速度の平均値を算出する。また、判定部１４２は、捕獲時刻を始点とした第２時間幅におけるＸ軸、Ｙ軸、Ｚ軸の加速度の平均値を算出する。
【００３９】
判定部１４２は、第１時間幅におけるＸ軸、Ｙ軸、Ｚ軸の加速度の平均値と、第２時間幅におけるＸ軸、Ｙ軸、Ｚ軸の加速度の平均値と、種別判定テーブル１３３の条件とを比較して、該当する鳥獣種別を判定する。判定部１４２は、判定結果を送信部１４３に出力する。判定結果には、鳥獣を捕獲したくくり罠１の罠ＩＤ、捕獲時刻、捕獲した鳥獣の種別の情報が含まれる。
【００４０】
送信部１４３は、判定部１４２により、鳥獣が捕獲されたと判定された場合に、鳥獣捕獲情報を生成し、鳥獣捕獲情報を、管理サーバ２００に送信する処理部である。鳥獣捕獲情報には、上記の判定結果の情報と、監視装置１００ａを一意に識別する情報が含まれる。例えば、送信部１４３は、監視装置１００ａが、３Ｇ圏内エリア１５に含まれる場合には、３Ｇ回線を用いて、鳥獣捕獲情報を、管理サーバ２００に送信する。送信部１４３は、監視装置１００ａが、３Ｇ圏内エリア１５に含まれていない場合には、親機となる監視装置１００を介して、鳥獣捕獲情報を、管理サーバ２００に送信する。
【００４１】
送信部１４３は、管理サーバ２００に送信する場合の鳥獣捕獲情報のデータ容量を極力抑えるために、鳥獣捕獲情報を、テキストデータで生成してもよい。例えば、送信部１４３は、鳥獣捕獲情報の内容をテキストで記載したテキストデータを、管理サーバ２００に送信する。
【００４２】
更新部１４４は、鳥獣捕獲情報に対する評価結果を、管理サーバ２００から受信した場合に、種別判定テーブル１３３の条件の数値を補正することで、種別判定テーブル１３３を更新する処理部である。以下では、更新部１４４の更新ポリシーの一例を示すが、適宜変更してもよい。
【００４３】
例えば、更新部１４４は、判定部１４２が判定した鳥獣の種別を予め取得しておく。更新部１４４は、判定部１４２が判定した鳥獣の種別を「猪」とし、管理サーバ２００から判定結果が誤っている旨の評価結果を受け付けたものとする。この場合には、例えば、更新部１４４は、条件ａ１、条件ａ２の数値に所定値を加算することで、更新を行う。
【００４４】
更新部１４４は、判定部１４２が判定した鳥獣の種別を「鹿」とし、管理サーバ２００から判定結果が誤っている旨の評価結果を受け付けたものとする。この場合には、例えば、更新部１４４は、条件ｂ１、条件ｂ２の数値に所定値を加算することで、更新を行う。
【００４５】
なお、更新部１４４は、管理サーバ２００から、種別判定テーブル１３３に登録する新たなレコードを受信した場合には、受信したレコードを、種別判定テーブル１３３に登録する。
【００４６】
次に、図１に示した管理サーバ２００の構成について説明する。図８は、本実施例に係る管理サーバの構成を示す機能ブロック図である。図８に示すように、この管理サーバ２００は、通信部２１０と、入力部２２０と、表示部２３０と、記憶部２４０と、制御部２５０とを有する。
【００４７】
通信部２１０は、監視装置１００とデータ通信を実行する処理部である。通信部２１０は、通信装置に対応する。通信部２１０は、通信相手となる監視装置１００が、３Ｇ圏内エリア１５に含まれている場合には、３Ｇ回線を介して、データ通信を行う。通信部２１０は、通信相手となる監視装置１００が、３Ｇ圏内エリア１５に含まれていない場合には、親機を中継して、監視装置１００とデータ通信を行う。後述する制御部２５０は、通信部２１０を介して、監視装置１００とデータをやり取りする。
【００４８】
入力部２２０は、管理サーバ２００に各種の情報を入力する入力装置である。入力部２２０は、キーボードやマウス、タッチパネル等に対応する。
【００４９】
表示部２３０は、制御部２５０からの各種の情報を表示する表示装置である。表示部２３０は、液晶モニタ、タッチパネル等に対応する。
【００５０】
記憶部２４０は、管理テーブル２４１を有する。記憶部２４０は、ＲＡＭ、ＲＯＭ、フラッシュメモリなどの半導体メモリ素子や、ＨＤＤなどの記憶装置に対応する。
【００５１】
管理テーブル２４１は、各監視装置１００から受信する鳥獣捕獲情報を保持するテーブルである。図９は、管理テーブルのデータ構造の一例を示す図である。図９に示すように、この管理テーブル２４１は、監視装置ＩＤと、設置場所情報と、鳥獣捕獲情報とを対応付ける。監視装置ＩＤは、監視装置１００を一意に識別する情報である。設置場所情報は、監視装置１００が設置される場所を示す情報である。鳥獣捕獲情報は、監視装置１００から受信する鳥獣捕獲情報であり、くくり罠で捕獲した鳥獣の種別等が含まれる。
【００５２】
制御部２５０は、受付部２５１と、表示制御部２５２と、通知部２５３とを有する。制御部２５０は、ＣＰＵやＭＰＵなどによって実現できる。また、制御部２５０は、ＡＳＩＣやＦＰＧＡなどのハードワイヤードロジックによっても実現できる。
【００５３】
受付部２５１は、監視装置１００から、鳥獣捕獲情報を受け付ける処理部である。受付部２５１は、受け付けた鳥獣捕獲情報を、該当する監視装置ＩＤに対応付けて、管理テーブル２４１に登録する。
【００５４】
表示制御部２５２は、管理テーブルに格納された情報を表示部２３０に表示する処理部である。例えば、表示制御部２５２は、管理テーブル２４１に鳥獣捕獲情報が登録された場合に、登録された鳥獣捕獲情報と、この鳥獣捕獲情報に対応する監視装置ＩＤ、設置場所情報とを対応付けて、表示部２３０に表示させる。また、表示制御部２５０は、入力部２２０から表示要求を受け付けた場合に、管理テーブル２４１の情報を、表示部２３０に表示させても良い。ユーザは、表示部２３０に示された情報を基にして、監視装置１００の設置された場所に向かい、各種の保護活動を行う。
【００５５】
通知部２５３は、鳥獣捕獲情報に関する評価結果を、監視装置１００に通知する処理部である。例えば、表示制御部２５２によって、鳥獣捕獲情報が、表示部２３０に表示されると、通知部２５３は、かかる鳥獣捕獲情報に示される鳥獣種別が正しいのか誤っているのかの情報を、入力部２２０から受け付ける。通知部２５３は、受け付けた評価結果の情報を、鳥獣捕獲情報の送信元となる監視装置１００に送信する。
【００５６】
次に、本実施例に係る監視装置１００ａの処理手順の一例について説明する。なお、監視装置１００ｂ〜１００ｆに対する処理手順は、監視装置１００ａの処理手順に対応する。図１０は、本実施例に係る監視装置の処理手順を示すフローチャートである。図１０に示すように、監視装置１００ａの登録部１４１は、くくり罠１の加速度センサ１２０から加速度データを取得したか否かを判定する（ステップＳ１０１）。登録部１４１は、加速度データを取得していない場合には（ステップＳ１０１，Ｎｏ）、ステップＳ１０６に移行する。
【００５７】
一方、登録部１４１は、加速度データを取得した場合には（ステップＳ１０１，Ｙｅｓ）、加速度データを加速度テーブル１３１に登録する（ステップＳ１０２）。監視装置１００ａの判定部１４２は、鳥獣を捕獲したか否かを判定する（ステップＳ１０３）。判定部１４２は、鳥獣を捕獲していない場合には（ステップＳ１０３，Ｎｏ）、ステップＳ１０６に移行する。
【００５８】
判定部１４２は、鳥獣を捕獲した場合には（ステップＳ１０３，Ｙｅｓ）、鳥獣種別判定処理を実行する（ステップＳ１０４）。監視装置１００ａの送信部１４３は、鳥獣捕獲情報を、管理サーバ２００に送信する（ステップＳ１０５）。
【００５９】
監視装置１００ａは、処理を継続する場合には（ステップＳ１０６，Ｙｅｓ）、ステップＳ１０１に移行する。監視装置１００ａは、処理を継続しない場合には（ステップＳ１０６，Ｎｏ）、処理を終了する。
【００６０】
次に、本実施例に係る監視装置１００の効果について説明する。監視装置１００は、鳥獣を捕獲した罠の加速度センサ１２０の加速度情報の特徴を基にして、鳥獣の種別を判定し、判定結果を管理サーバ２００に通知する。これによって、通信状態の悪いエリアに位置する各罠に捕獲された鳥獣の種別情報をデータ量の少ないテキスト情報のみで取得することができる。又、罠ごとにカメラ装置を設置する必要がないので安価に捕獲情報取得の仕組みを実現できる。
【００６１】
監視装置１００は、３軸方向の加速度の平均値を基にして、罠に鳥獣が捕獲されたか否かを判定する。このため、例えば、くくり罠に捕獲された鳥獣が、猪であるのか、鹿であるのか、他の鳥獣であるのかを判定して通知することができる。
【００６２】
監視装置１００は、判定結果に対する評価結果を受信した場合に、評価結果を基にして、種別判定テーブル１３３の条件を更新する。このため、鳥獣の種別判定の精度を向上することができる。
【００６３】
ところで、本実施例において説明した各処理のうち、自動的に行われるものとして説明した処理の全部または一部を手動的に行うこともでき、あるいは、手動的に行われるものとして説明した処理の全部あるいは一部を公知の方法で自動的に行うこともできる。この他、上記文書中や図面中で示した処理手順、制御手順、具体的名称、各種のデータやパラメータを含む情報については、特記する場合を除いて任意に変更することができる。
【００６４】
例えば、上記の実施例では一例として、監視装置１００が、鳥獣の種別を判定する場合について説明したがこれに限定されるものではない。例えば、管理サーバ２００の制御部２５０に、監視装置１００の登録部１４１、判定部１４２に対応する処理部を設け、鳥獣の種別を判定しても良い。この場合には、管理サーバ２００は、監視装置１００から、加速度データを受信し、受信した加速度データを基にして、上記処理と同様に、鳥獣の種別を判定する。
【００６５】
なお、各装置にて行われる各処理機能は、その全部または任意の一部がＣＰＵおよび当該ＣＰＵにて解析実行されるプログラムにて実現され、あるいは、ワイヤードロジックによるハードウェアとして実現され得る。
【符号の説明】
【００６６】
１００ａ，１００ｂ，１００ｃ，１００ｄ，１００ｅ，１００ｆ  監視装置
２００  管理サーバ
【図１】
2018050540.tif 000003
【図２】
2018050540.tif 000004
【図３】
2018050540.tif 000005
【図４】
2018050540.tif 000006
【図５】
2018050540.tif 000007
【図６】
2018050540.tif 000008
【図７】
2018050540.tif 000009
【図８】
2018050540.tif 000010
【図９】
2018050540.tif 000011
【図１０】
2018050540.tif 000012